(57)【要約】      （修正有）【課題】割れたカバー部材の全面を覆い筐体にまで貼りつけることで、カバー部材の飛散による怪我の防止や、カバー部材の破損による凹凸による見えにくさを低減し、カバー部材の破損が一層拡がらないようにしたり、濡れて表示部や携帯端末自体を壊さないようにし、カバー部材が破損してもそのまま携帯端末を使用し続けることを可能とする携帯端末用粘着処置シートを提供することにある。【解決手段】シート状で、裏面に粘着性を有し、カバー部材の全面を覆う形状で、且つカバー部材を覆う部分の外周に、カバー部材側から筐体方向に伸びる辺縁部１２、１４、１６、１８を有する粘着シート１０からなり、破損したカバー部材の全面に粘着シート１０の裏面を粘着させると共に、辺縁部１２、１４、１６、１８を筐体方向に折って筐体に架けて粘着させることが可能な形状であることを特徴とする。【選択図】図１
0003204065.tif 000002
【実用新案登録請求の範囲】
【請求項１】
携帯端末の表示部の表面のカバー部材の損傷を抑える携帯端末用粘着処置シートにおいて、
シート状で、裏面に粘着性を有し、該カバー部材の全面を覆う形状で、且つカバー部材を覆う部分の外周に、該カバー部材側から筐体方向に伸びる辺縁部を有する粘着シートからなり、
破損した該カバー部材の全面に該粘着シートの裏面を粘着させると共に、該辺縁部を該筐体方向に折って該筐体に架けて粘着させることが可能な形状であることを特徴とする特徴とする携帯端末用粘着処置シート。
【請求項２】
前記粘着シート及び該粘着シートの裏面に貼られた剥離シートの露出面が、該粘着シートを前記カバー部材を覆う部分及びその外周の辺縁部の形状に切り出すための形状のマークを記載可能なマーキング面であることを特徴とする請求項１記載の携帯端末用粘着処置シート。
【請求項３】
前記剥離シートが、切れ目のある形状であることを特徴とする請求項２記載の携帯端末用粘着処置シート。
【請求項４】
前記粘着シートの表面に貼られた粘着シート保護シートの露出面が、該粘着シートを前記カバー部材を覆う部分及びその外周の辺縁部の形状に切り出すための形状のマークを記載可能なマーキング面であることを特徴とする請求項１〜請求項３のいずれかに記載の携帯端末用粘着処置シート。
【考案の詳細な説明】
【技術分野】
【０００１】
本考案は、携帯端末の表示部の表面のカバー部材の損傷を抑える携帯端末用粘着処置シートに関する。
【背景技術】
【０００２】
従来より、携帯電話やスマートホン等の携帯型の電子情報端末である携帯端末の表示部の表面をなす主にガラス製のカバー部材を、傷や汚れから守る手段として、保護フィルムが用いられている。この保護フィルムの例としては、例えば、特許文献１の保護フィルムがある。
【先行技術文献】
【特許文献】
【０００３】
【特許文献１】特開２０１６−１２７３号公報
【考案の概要】
【考案が解決しようとする課題】
【０００４】
しかしながら、従来の保護フィルムでは、カバー部材が携帯端末の表示部にしか貼られておらず、表示部のカバー部材が割れた場合、保護フィルムの下のガラス製のカバー部材の破片により保護フィルムが浮いてしまい、さらにその破片がポロポロと取れてしまう。
また、従来の保護フィルムでは、貼れている部分と貼れていない部分があり、表示部の最端の角やボタン、スピーカー周りなど保護されていない部分があるため、その部分は破片が飛散したり、指を擦って切ってしまう場合がある。さらに、保護フィルムの下に空気が入ってしまうと表示部の画面がさらに見にくくなってしまう。
【０００５】
本考案は、このような事情に鑑みてなされたもので、割れたカバー部材の全面を覆い筐体にまで貼りつけることで、カバー部材の飛散による怪我の防止や、カバー部材の破損による凹凸による見えにくさを低減し、カバー部材の破損が一層拡がらないようにしたり、濡れて表示部や携帯端末自体を壊さないようにし、カバー部材が破損してもそのまま携帯端末を使用し続けることを可能とする携帯端末用粘着処置シートを提供することにある。
【課題を解決するための手段】
【０００６】
請求項１記載の携帯端末用粘着処置シートは、シート状で、裏面に粘着性を有し、カバー部材の全面を覆う形状で、且つカバー部材を覆う部分の外周に、カバー部材側から筐体方向に伸びる辺縁部を有する粘着シートからなり、破損したカバー部材の全面に粘着シートの裏面を粘着させると共に、辺縁部を筐体方向に折って筐体に架けて粘着させることが可能な形状であることを特徴とする。
【０００７】
請求項２記載の携帯端末用粘着処置シートは、粘着シート及び粘着シートの裏面に貼られた剥離シートの露出面が、粘着シートをカバー部材を覆う部分及びその外周の辺縁部の形状に切り出すための形状のマークを記載可能なマーキング面であることを特徴とする。
【０００８】
請求項３記載の携帯端末用粘着処置シートは、剥離シートが、切れ目のある形状であることを特徴とする。
【０００９】
請求項４記載の携帯端末用粘着処置シートは、粘着シートの表面に貼られた粘着シート保護シートの露出面が、粘着シートをカバー部材を覆う部分及びその外周の辺縁部の形状に切り出すための形状のマークを記載可能なマーキング面であることを特徴とする。
【考案の効果】
【００１０】
本願考案によれば、割れたカバー部材の全面を覆い筐体にまで貼りつけることで、カバー部材の飛散による怪我の防止や、カバー部材の破損による凹凸による見えにくさを低減し、カバー部材の破損が一層拡がらないようにしたり、濡れて表示部や携帯端末自体を壊さないようにし、カバー部材が破損してもそのまま携帯端末を使用し続けることが可能となる。
【図面の簡単な説明】
【００１１】
【図１】本考案に係る携帯端末用粘着処置シートの一例を示す説明図である。
【図２】同携帯端末用粘着処置シートの構成を示す説明図である。
【図３】同携帯端末用粘着処置シートの使用方法を示す説明図である。
【図４】同携帯端末用粘着処置シートの使用方法を示す説明図である。
【図５】本考案に係る携帯端末用粘着処置シートの他の一例を示す説明図である。
【図６】同他の一例の携帯端末用粘着処置シートの使用方法を示す説明図である。
【図７】同他の一例の携帯端末用粘着処置シートの使用方法を示す説明図である。
【考案を実施するための形態】
【００１２】
以下、本考案の形態について図面を参照しながら具体的に説明する。図１は、本考案に係る携帯端末用粘着処置シートの一例を示す説明図である。図２は、同携帯端末用粘着処置シートの構成を示す説明図である。図３は、同携帯端末用粘着処置シートの使用方法を示す説明図である。図４は、同携帯端末用粘着処置シートの使用方法を示す説明図である。図５は、本考案に係る携帯端末用粘着処置シートの他の一例を示す説明図である。図６は、同他の一例の携帯端末用粘着処置シートの使用方法を示す説明図である。図７は、同他の一例の携帯端末用粘着処置シートの使用方法を示す説明図である。
【００１３】
図１〜図４に示す携帯端末用粘着処置シート１は、携帯電話やスマートホン等の携帯型の電子情報端末である携帯端末４の表示部の表面をなす主にガラス製のカバー部材６に粘着させるシートであり、特に、カバー部材６が割れて破損した後に、粘着させるものである。携帯端末用粘着処置シート１は、図２に示すように、樹脂製のシート状で、裏面に粘着性を有する粘着シート１０からなり、流通等の中で、粘着シート１０の粘着性を保持させるため等のために、粘着シート１０の裏面に剥離シート２０が貼られている。また、流通過程等で粘着シート１０の表面を保護する目的で、粘着シート保護シート２２を粘着シート１０の表面に貼られていてもよい。粘着シート１０の材質としては、本考案の効果が生じさせるものであれば、特に限定されるものではない。
【００１４】
図１〜図４に示す携帯端末用粘着処置シート１の粘着シート１０は、カバー部材６の全面を覆う形状で、且つカバー部材６を覆う部分であるカバー部材粘着部分１０ａの外周に、カバー部材６（カバー部材粘着部分１０ａ）側から携帯端末４の筐体８方向に伸びる辺縁部１２，１４，１６，１８を有している。
【００１５】
次に、携帯端末用粘着処置シート１の使用方法を説明する。まず、図３に示すように、表示部のカバー部材６が破損した状態の携帯端末４の上に、剥離シート２０を下にして、載置する。この状態で、粘着シート１０のカバー部材粘着部分１０ａが、カバー部材６の前面を覆う位置に来るように位置合わせを行う。そして、剥離シート２０を粘着シート１０から剥がして、粘着シート１０をカバー部材６の前面に粘着させる。ここで、図１に示すように剥離シート２０に切れ目２０ａがあると、剥離シート２０を粘着シートから部分的に剥離しながら粘着させることが可能で、粘着シート１０をカバー部材６に粘着させやすくなる。
【００１６】
次に、辺縁部１２，１４，１６，１８を携帯端末４の側面の筐体８方向に折って筐体８に架けて粘着させるようにする（図４参照）。このように、粘着シート１０は、破損したカバー部材６の全面に粘着シート１０の裏面（カバー部材粘着部分１０ａ）を粘着させると共に、辺縁部１２，１４，１６，１８を筐体８方向に折ってカバー部材６から筐体８に架けて粘着シート１０を粘着させることが可能な形状である。尚、粘着シート保護シート２２があるタイプの場合には、粘着シート１０を携帯端末４に粘着させた後に、粘着シート保護シート２２を剥がすようにすればよい。
【００１７】
上述の携帯端末用粘着処置シート１は、特に携帯端末４のカバー部材６の形状に合わせて予め形状が形成された例であるが、図５に示すような携帯端末用粘着処置シート２では、予め形状を定めず、粘着させるときに所望の形状を切り抜くようにしてもよい。図５〜図７の例の携帯端末用粘着処置シート２では、まず図５に示すように、表示部のカバー部材６が破損した状態の携帯端末４の上に、剥離シート２０を下にして、粘着シート３０を載置する。この状態で、図６に示すように、粘着シート３０又は粘着シート保護シート２２がある場合には粘着シート保護シート２２の露出面に、カバー部材６の外周にこの外周よりせり出す辺縁部３２を有する形状を切り出すためのマーク３０ｃを筆記具等で記載するようにする。剥離シート２０がある場合には、携帯端末用粘着処置シート１を下にしてその上に携帯端末４を乗せて、剥離シート２０の露出面に同様のマークを記載してもよい。
【００１８】
次に、このマーク３０ｃで、粘着シート３０を切断し、周辺のカット部３０ｂを外すようにする。そして、粘着シート１０のカバー部材粘着部分３０ａが、カバー部材６の前面を覆う位置に来るように位置合わせを行う。その上で、剥離シート２０を粘着シート３０から剥がして、粘着シート３０をカバー部材６の前面に粘着させる。次に、辺縁部３２を携帯端末４の側面の筐体８方向に折って筐体８に架けて粘着させるようにする（図７参照）。
【００１９】
もちろん、マーク３０ｃを記載せずに、目分量で粘着シート３０を切断することも可能であるが、粘着シート３０や剥離シート２０や粘着シート保護シート２２の露出面が、筆記具等でマーク３０ｃを記載可能なマーキング面になるようにしておくことで、粘着シート３０をカバー部材６を覆う部分及びその外周の辺縁部３２の形状に切り出すための形状を正確且つ容易に定めることが可能になる。また、携帯端末４に、携帯端末用粘着処置シート１，２を貼った後にボタン、スピーカー、カメラ等の部分を必要に応じて切り抜くようにすればよい。
【００２０】
このような携帯端末用粘着処置シート１，２によれば、割れたカバー部材６の全面を覆い筐体８にまで貼りつけることで、カバー部材６の飛散による怪我の防止や、カバー部材６の破損による凹凸による見えにくさを低減し、カバー部材６の破損が一層拡がらないようにしたり、濡れて表示部や携帯端末４自体を壊さないようにし、カバー部材６が破損してもそのまま携帯端末４を使用し続けることが可能となる。特に、カバー部材６が破損して破断面が突出したりざらざらした状態で指や頬を擦って生じる怪我を防止することも可能である。
【産業上の利用可能性】
【００２１】
本考案により、割れたカバー部材の全面を覆い筐体にまで貼りつけることで、カバー部材の飛散による怪我の防止や、カバー部材の破損による凹凸による見えにくさを低減し、カバー部材の破損が一層拡がらないようにしたり、濡れて表示部や携帯端末自体を壊さないようにし、カバー部材が破損してもそのまま携帯端末を使用し続けることが可能となる携帯端末用粘着処置シートを提供することができる。
【符号の説明】
【００２２】
１・・・・・携帯端末用粘着処置シート
２・・・・・携帯端末用粘着処置シート
４・・・・・携帯端末
６・・・・・カバー部材
８・・・・・筐体
１０・・・・粘着シート
１０ａ・・・カバー部材粘着部分
１２・・・・辺縁部
１４・・・・辺縁部
１６・・・・辺縁部
１８・・・・辺縁部
２０・・・・剥離シート
２０ａ・・・切れ目
２２・・・・粘着シート保護シート
３０・・・・粘着シート
３０ａ・・・カバー部材粘着部分
３０ｂ・・・カット部
３０ｃ・・・マーク
３２・・・・辺縁部
【図１】
0003204065.tif 000003
【図２】
0003204065.tif 000004
【図３】
0003204065.tif 000005
【図４】
0003204065.tif 000006
【図５】
0003204065.tif 000007
【図６】
0003204065.tif 000008
【図７】
0003204065.tif 000009